(57)【要約】【課題】壁面に設置して使い易い家庭用薄葉紙収納容器を実現する。【解決手段】家庭用薄葉紙Ｐを内部に収納する有底の容器本体１０と、容器本体１０の底側を内部に収容するケース本体２０と、容器本体１０の開口部１０ａを塞ぐ蓋状のケース蓋体３０とを備えた家庭用薄葉紙収納容器１００において、ケース蓋体３０に、ケース本体２０側の下方に延在するガイド軸４０を設け、ケース本体２０に、ガイド軸４０に係着してガイド軸４０に沿って移動可能なスライド部材５０を設けて、そのガイド軸４０及びスライド部材５０を介してケース本体２０とケース蓋体３０を連結するともに、ケース蓋体３０に壁面設置部材３１を設けて、その壁面設置部材３１によって家庭用薄葉紙収納容器１００を壁面に設置することを可能にして、その家庭用薄葉紙収納容器１００を壁面に設置した状態で容易に開閉することを可能にした。【選択図】図１
2015067297.tif 000002
【特許請求の範囲】
【請求項１】
上部に開口部が設けられ、家庭用薄葉紙を内部に収納する有底の容器本体と、
前記容器本体の底側を内部に収容するケース本体と、
前記容器本体の前記開口部を塞ぐ蓋状のケース蓋体と、
を備え、
前記ケース蓋体には、当該ケース蓋体を壁面に取り付けるための壁面設置部材が設けられており、
前記ケース本体と前記ケース蓋体の何れか一方には、他方に向けて延在するガイド軸の一端が固定されており、その他方には前記ガイド軸に係着し、前記ガイド軸に沿って移動可能なスライド部材が設けられていることを特徴とする家庭用薄葉紙収納容器。
【請求項２】
前記ガイド軸が前記ケース蓋体に設けられている場合、当該ガイド軸の他端は前記ケース本体側の下方に延在しており、
前記ガイド軸が前記ケース本体に設けられている場合、当該ガイド軸の他端は前記ケース蓋体側の上方に延在していることを特徴とする請求項１に記載の家庭用薄葉紙収納容器。
【請求項３】
前記ケース蓋体の内側には、前記容器本体の前記開口部と密着し、前記容器本体の内部を密閉するパッキン部材が設けられていることを特徴とする請求項１又は２に記載の家庭用薄葉紙収納容器。
【請求項４】
前記ケース本体と前記ケース蓋体とを近接させる方向に付勢する付勢部材が設けられていることを特徴とする請求項１〜３の何れか一項に記載の家庭用薄葉紙収納容器。
【発明の詳細な説明】
【技術分野】
【０００１】
本発明は、家庭用薄葉紙を収納する家庭用薄葉紙収納容器に関する。
【背景技術】
【０００２】
従来、ティッシュペーパーやウェットティッシュ、クリーナーシート等の家庭用薄葉紙を収納する家庭用薄葉紙収納容器が知られている。
近時、その家庭用薄葉紙収納容器をコンパクトなサイズにして、省スペースに設置可能にするものが提案されている（例えば、特許文献１，２参照。）。
【先行技術文献】
【特許文献】
【０００３】
【特許文献１】特開２００６−３４６１３７号公報
【特許文献２】特開２０１１−２５１７１４号公報
【発明の概要】
【発明が解決しようとする課題】
【０００４】
上記特許文献１，２の容器をトイレクリーナーシート用の容器に適用した場合、比較的狭い空間であるトイレ内の任意の箇所に容器を設置することが可能になる。
しかしながら、トイレ内の収納棚のスペースを他の物品で占められている際には、そのトイレクリーナーシート用容器を床面に置かざるを得ないことがある。ただし、トイレの床面に容器を置くことには抵抗があるというユーザーが少なからずいることがわかった。
【０００５】
本発明の目的は、壁面に設置して使い易い家庭用薄葉紙収納容器を提供することである。
【課題を解決するための手段】
【０００６】
以上の課題を解決するため、請求項１に記載の発明は、家庭用薄葉紙収納容器であって、
上部に開口部が設けられ、家庭用薄葉紙を内部に収納する有底の容器本体と、
前記容器本体の底側を内部に収容するケース本体と、
前記容器本体の前記開口部を塞ぐ蓋状のケース蓋体と、
を備え、
前記ケース蓋体には、当該ケース蓋体を壁面に取り付けるための壁面設置部材が設けられており、
前記ケース本体と前記ケース蓋体の何れか一方には、他方に向けて延在するガイド軸の一端が固定されており、その他方には前記ガイド軸に係着し、前記ガイド軸に沿って移動可能なスライド部材が設けられていることを特徴とする。
【０００７】
請求項２に記載の発明は、請求項１に記載の家庭用薄葉紙収納容器において、
前記ガイド軸が前記ケース蓋体に設けられている場合、当該ガイド軸の他端は前記ケース本体側の下方に延在しており、
前記ガイド軸が前記ケース本体に設けられている場合、当該ガイド軸の他端は前記ケース蓋体側の上方に延在していることを特徴とする。
【０００８】
請求項３に記載の発明は、請求項１又は２に記載の家庭用薄葉紙収納容器において、
前記ケース蓋体の内側には、前記容器本体の前記開口部と密着し、前記容器本体の内部を密閉するパッキン部材が設けられていることを特徴とする。
【０００９】
請求項４に記載の発明は、請求項１〜３の何れか一項に記載の家庭用薄葉紙収納容器において、
前記ケース本体と前記ケース蓋体とを近接させる方向に付勢する付勢部材が設けられていることを特徴とする。
【発明の効果】
【００１０】
本発明によれば、壁面に設置した状態で容易に開閉して、その中から家庭用薄葉紙を取り出すことができる、使い易い家庭用薄葉紙収納容器を得ることができる。
【図面の簡単な説明】
【００１１】
【図１】本実施形態の家庭用薄葉紙収納容器を示す斜視図であり、閉蓋した状態（ａ）と、開蓋した状態（ｂ）である。
【図２】本実施形態の家庭用薄葉紙収納容器を示す背面図である。
【図３】本実施形態の家庭用薄葉紙収納容器を示す側面図である。
【図４】本実施形態の家庭用薄葉紙収納容器の容器本体を取り外した状態を示す斜視図である。
【図５】家庭用薄葉紙収納容器の要部断面図である。
【図６】家庭用薄葉紙収納容器の変形例を示す斜視図であり、閉蓋した状態（ａ）と、開蓋した状態（ｂ）である。
【図７】家庭用薄葉紙収納容器の変形例を示す背面図である。
【図８】家庭用薄葉紙収納容器の他の使用形態を示す斜視図である。
【発明を実施するための形態】
【００１２】
以下、図を参照して、本発明に係る家庭用薄葉紙収納容器の具体的な態様を詳細に説明する。ただし、発明の範囲は、図示例に限定されない。
【００１３】
図１は、本発明を適用した好適な実施形態として例示する家庭用薄葉紙収納容器１００の斜視図であり、閉蓋した状態（図１（ａ））と、開蓋した状態（図１（ｂ））を示している。図２は家庭用薄葉紙収納容器１００の背面図、図３は側面図である。
図４は、家庭用薄葉紙収納容器１００の容器本体１０を取り外した状態を示す斜視図である。
【００１４】
家庭用薄葉紙収納容器１００は、例えば、図１〜図４に示すように、上部に開口部１０ａが設けられ、家庭用薄葉紙Ｐを内部に収納する有底の容器本体１０と、容器本体１０の底側を内部に収容するケース本体２０と、容器本体１０の開口部１０ａを塞ぐ蓋状のケース蓋体３０と、を備えている。
また、ケース蓋体３０には、ケース本体２０側の下方に延在する２本のガイド軸４０が設けられている。また、ケース本体２０には、ガイド軸４０に係着してガイド軸４０に沿って移動可能な２つのスライド部材５０が設けられている。このガイド軸４０及びスライド部材５０を介して、ケース本体２０とケース蓋体３０が連結されて、一体的な容器を構成するようになっている。
【００１５】
容器本体１０は、矩形の開口を有する有底の角箱であり、その内部に家庭用薄葉紙Ｐを収納する空間を有している。
この容器本体１０は、例えば、ＰＥ（ポリエチレン）やＰＰ（ポリプロピレン）、或いはＰＥＴ（ポリエチレンテレフタレート）、ＡＢＳ樹脂等を用いて形成されている。
【００１６】
ケース本体２０は、矩形の開口を有する有底の角箱であり、容器本体１０より一回り大きいサイズを有している。具体的に、ケース本体２０内に容器本体１０を収容する際、ケース本体２０の内面と容器本体１０の外面が接するようになっている。
このケース本体２０は、例えば、ＰＥ（ポリエチレン）やＰＰ（ポリプロピレン）、或いはＰＥＴ（ポリエチレンテレフタレート）、ＡＢＳ樹脂等を用いて形成されている。
また、ケース本体２０には、家庭用薄葉紙収納容器１００を開蓋する際にユーザーが掴む保持部２１が設けられている。
【００１７】
ケース蓋体３０は、ケース本体２０と略同じサイズの角箱形状を有している。具体的に、ケース蓋体３０で容器本体１０の開口部１０ａを塞ぐ際、ケース蓋体３０の内面と容器本体１０の外面が接するようになっている。
このケース蓋体３０は、例えば、ＰＥ（ポリエチレン）やＰＰ（ポリプロピレン）、或いはＰＥＴ（ポリエチレンテレフタレート）、ＡＢＳ樹脂等を用いて形成されている。
【００１８】
また、ケース蓋体３０には、当該ケース蓋体３０を壁面に取り付け、家庭用薄葉紙収納容器１００を壁面に設置するための壁面設置部材３１が設けられている。本実施形態における壁面設置部材３１はフック部材であり、壁面に突き刺したプッシュピンやボルトなどにフック部材（壁面設置部材３１）を架けて、家庭用薄葉紙収納容器１００を壁面に吊り下げて設置することを可能にする。
なお、壁面設置部材３１はフック部材であることに限らず、例えば吸盤を用いたものでもよい。壁面設置部材３１に吸盤を用いることによれば、家庭用薄葉紙収納容器１００をガラス面やタイル面などの平滑な面に好適に設置することが可能になる。
【００１９】
ガイド軸４０は、例えば、ＰＥ（ポリエチレン）やＰＰ（ポリプロピレン）、或いはＰＥＴ（ポリエチレンテレフタレート）、ＡＢＳ樹脂等からなり、ケース蓋体３０と一体成型されている。具体的に、ガイド軸４０の一端がケース蓋体３０に固定され、ガイド軸４０の他端はケース本体２０側の下方に延在するように設けられている。
また、ガイド軸４０の側面には、スライド部材５０が係着する案内溝４１が形成されている。なお、ガイド軸４０の他端側における案内溝４１の終端側は、その溝の幅が狭く形成された嵌合部４１ａになっている。この嵌合部４１ａは、後述するスライド部材５０の両縁を挟み込むことで、スライド部材５０の移動を規制するようになっている。
【００２０】
スライド部材５０は、例えば、ＰＥ（ポリエチレン）やＰＰ（ポリプロピレン）、或いはＰＥＴ（ポリエチレンテレフタレート）、ＡＢＳ樹脂等からなり、ケース本体２０と一体成型されている。
スライド部材５０の両縁は、互いに対向するように鈎状に形成されており、その鈎状の両縁が案内溝４０ａに係着するように、スライド部材５０はガイド軸４０を挟んで取り付けられている。
【００２１】
このように、ケース蓋体３０に設けられたガイド軸４０に、ケース本体２０に設けられたスライド部材５０が係着しており、スライド部材５０がガイド軸４０に沿って移動可能になっている。
つまり、ケース本体２０と一体のスライド部材５０が、ケース蓋体３０と一体のガイド軸４０に沿って移動可能になっているので、ケース蓋体３０に対しケース本体２０がスライド移動して、接離するようになっている。
【００２２】
また、家庭用薄葉紙収納容器１００には、ケース本体２０とケース蓋体３０とを近接させる方向に付勢する付勢部材６０が設けられている。
この付勢部材６０はコイル状の引きばねであり、一端部がケース本体２０の取付部２６に取り付けられ、他端部がケース蓋体３０の取付部３６に取り付けられている。ここでは、ガイド軸４０と並んだ配置に２つの付勢部材６０が配設されており、ガイド軸４０の長手方向に沿って伸縮するように設けられている。
そして、この付勢部材６０の付勢力によって、ケース本体２０がケース蓋体３０に向けて近接するようにスライド移動し、ケース本体２０に収容されている容器本体１０の開口部１０ａがケース蓋体３０に収まり、閉蓋されるようになっている。
なお、本実施形態における付勢部材６０はコイルばね（引きばね）であるが、付勢部材６０は他の形状のばね部材でもよく、またゴムの収縮を利用した付勢部材６０を用いてもよい。
【００２３】
また、図５に示すように、ケース蓋体３０の内側には、容器本体１０の開口部１０ａと密着するパッキン部材３２が設けられている。
具体的に、パッキン部材３２は、例えば、シリコンゴムなど弾性材料からなる矩形環状の部材であり、ケース蓋体３０内の天面の隅部に配設されている。
そして、ケース本体２０に収容されている容器本体１０の開口部１０ａをケース蓋体３０で閉じる際、パッキン部材３２が容器本体１０の開口部１０ａと密着し、容器本体１０の内部を密閉するようになっている。
つまり、閉蓋した状態の家庭用薄葉紙収納容器１００において、ケース蓋体３０内のパッキン部材３２が容器本体１０の開口部１０ａと密着し、容器本体１０の内部を密閉することができるので、容器本体１０内の気密性を保ち、ウェットタイプの家庭用薄葉紙Ｐの乾燥を防ぐことができる。
【００２４】
次に、本実施形態における家庭用薄葉紙収納容器１００の使用方法について説明する。
ここで家庭用薄葉紙収納容器１００は、家庭用薄葉紙Ｐとしてトイレクリーナーシートを収納する容器であり、トイレ内に設置して使用するものであるとする。
【００２５】
家庭用薄葉紙収納容器１００は、例えば、トイレットペーパーホルダー近傍の壁面に螺入された、頭部が略Ｌ字状の吊りボルト（図示省略）に壁面設置部材３１を架けて、トイレの壁面に吊り下げて設置されている。
家庭用薄葉紙収納容器１００が壁面に設置されている閉蓋状態では、図１（ａ）に示すように、付勢部材６０の付勢力によって、ケース本体２０がケース蓋体３０に近接するようにスライド移動されており、ケース蓋体３０が容器本体１０の開口部１０ａを塞ぐとともに、ケース蓋体３０内のパッキン部材３２が容器本体１０の開口部１０ａと密着し、容器本体１０の内部を密閉している。
【００２６】
トイレ掃除を行う際、ユーザーはケース本体２０の保持部２１を掴んで、ケース本体２０を引き下げる。そして、図１（ｂ）に示すように、容器本体１０の開口部１０ａを露出させるように、ケース蓋体３０からケース本体２０を離間させる。
こうして家庭用薄葉紙収納容器１００を開蓋すれば、容器本体１０から家庭用薄葉紙Ｐを取り出して使用することができる。
ユーザーが容器本体１０から家庭用薄葉紙Ｐを取り出した後、保持部２１を放すと、付勢部材６０の付勢力によってケース本体２０がケース蓋体３０側に引き上げられるようにスライド移動し、家庭用薄葉紙収納容器１００は閉蓋状態に戻る。
このように、家庭用薄葉紙収納容器１００は、壁面に設置した状態で容易に開閉することができる使い易い容器であるといえる。
【００２７】
また、家庭用薄葉紙収納容器１００を開蓋する際、ガイド軸４０の案内溝４１における終端側の嵌合部４１ａにスライド部材５０が達するまでケース本体２０を引き下げると、スライド部材５０が嵌合部４１ａに嵌まり込む。スライド部材５０が案内溝４１の嵌合部４１ａに嵌まり込んだ状態では、スライド部材５０はガイド軸４０の下端側で拘束されているので、ユーザーが保持部２１を放しても、付勢部材６０の付勢力に抗してケース本体２０をガイド軸４０の下端側に留めることができ、家庭用薄葉紙収納容器１００が開蓋した状態を維持することができる。
例えば、容器本体１０から家庭用薄葉紙Ｐを立て続けに取り出すような場合には、こうして家庭用薄葉紙収納容器１００が開蓋した状態を維持するようにすれば、ユーザーにとって使い勝手がよい状態で使用することができる。
そして、家庭用薄葉紙収納容器１００を閉蓋する際には、ケース本体２０の保持部２１を掴んでケース本体２０を引き上げて、案内溝４１の嵌合部４１ａからスライド部材５０を外せば、付勢部材６０の付勢力によって家庭用薄葉紙収納容器１００は閉蓋状態に戻る。
【００２８】
また、家庭用薄葉紙収納容器１００が吊り下げられている壁面から離れた箇所の掃除を行う場合には、図４に示すように、家庭用薄葉紙収納容器１００の容器本体１０を取り外し、任意の箇所に容器本体１０を持ち運んで使用することができる。
【００２９】
以上のように、この家庭用薄葉紙収納容器１００は、壁面に設置した状態で容易に開閉することができ、所望するように家庭用薄葉紙Ｐを取り出して使用することができる使い易い容器である。
【００３０】
なお、本発明は上記実施形態に限られるものではない。
例えば、図６（ａ）（ｂ）、図７に示すように、ケース本体２０にガイド軸４０が設けられ、ケース蓋体３０にスライド部材５０が設けられている家庭用薄葉紙収納容器１００であってもよい。
この場合、ガイド軸４０の一端がケース本体２０に固定され、ガイド軸４０の他端はケース蓋体３０側の上方に延在するように設けられている。
このような家庭用薄葉紙収納容器１００であっても、壁面に設置した状態で容易に開閉することができる。
【００３１】
また、図８に示すように、容器本体１０を取り外した状態で、ケース本体２０とケース蓋体３０の間に薄葉紙包装袋３を収容するように、家庭用薄葉紙収納容器１００を使用してもよい。
薄葉紙包装袋３は、家庭用薄葉紙Ｐを内包した袋体１と、袋体１の開口部１ａを塞ぐ封止シール２とを備えている。封止シール２は、剥離と貼付を複数回繰り返すことが可能な粘着力を有しており、袋体１の開口部１ａから家庭用薄葉紙Ｐを取り出す際に剥離し、家庭用薄葉紙Ｐを取り出した後には開口部１ａを塞ぐように貼付するようになっている。
家庭用薄葉紙収納容器１００におけるケース本体２０とケース蓋体３０の間は密閉空間ではないが、このような気密性を有する薄葉紙包装袋３であれば、ウェットタイプの家庭用薄葉紙Ｐの乾燥を防いで収納することができる。
【００３２】
なお、以上の実施の形態においては、ガイド軸４０はケース蓋体３０またはケース本体２０と一体成型され、スライド部材５０はケース本体２０またはケース蓋体３０と一体成型されているとしたが、本発明はこれに限定されるものではなく、熱融着による手法や接着剤を用いる手法によって、ガイド軸４０とケース蓋体３０（ケース本体２０）を融着あるいは接着し、スライド部材５０とケース本体２０（ケース蓋体３０）を融着あるいは接着して、それぞれ一体化するようにしてもよい。
【００３３】
また、その他、具体的な細部構造等についても適宜に変更可能であることは勿論である。
【符号の説明】
【００３４】
１０    容器本体
１０ａ  開口部
２０    ケース本体
２１    保持部
３０    ケース蓋体
３１    壁面設置部材
３２    パッキン部材
４０    ガイド軸
４１    案内溝
４１ａ  嵌合部
５０    スライド部材
６０    付勢部材
１００  家庭用薄葉紙収納容器
Ｐ      家庭用薄葉紙
１      袋体
２      封止シール
３      薄葉紙包装袋
【図１】
2015067297.tif 000003
【図２】
2015067297.tif 000004
【図３】
2015067297.tif 000005
【図４】
2015067297.tif 000006
【図５】
2015067297.tif 000007
【図６】
2015067297.tif 000008
【図７】
2015067297.tif 000009
【図８】
2015067297.tif 000010